(57)【要約】【課題】消費電力の増加を防ぐことのできるダイバーシチ受信装置を提供する。【解決手段】通信信号を受信する複数の受信ブランチと、受信ブランチによって受信された通信信号の受信品質を示すブランチ受信品質を算出する受信品質判定部１０９、１１０と、受信ブランチによって受信された各通信信号を合成する合成部１０７と、合成部１０７によって合成された合成信号の受信品質を示す合成受信品質を算出する受信品質判定部１１１と、ブランチ受信品質および前記合成受信品質に基づいて、受信ブランチのうちのいずれか１つにおいて通信信号を受信する単ブランチ受信方式、または、受信ブランチのうちのいずれか複数において通信信号を受信するダイバーシチ受信方式のいずれかを選択する制御部１１２とを有する。【選択図】図１
2007116454.tif 000002
【特許請求の範囲】
【請求項１】
通信信号を受信する複数の受信ブランチと、
前記受信ブランチによって受信された通信信号の受信品質を示すブランチ受信品質を算出するブランチ受信品質判定部と、
前記受信ブランチによって受信された各通信信号を合成する合成部と、
前記合成部によって合成された合成信号の受信品質を示す合成受信品質を算出する合成受信品質判定部と、
前記ブランチ受信品質および前記合成受信品質に基づいて、前記受信ブランチのうちのいずれか１つにおいて前記通信信号を受信する単ブランチ受信方式、または、前記受信ブランチのうちのいずれか複数において前記通信信号を受信するダイバーシチ受信方式のいずれかを選択する制御部と
を有するダイバーシチ受信装置。
【請求項２】
請求項１に記載のダイバーシチ受信装置であって、
前記制御部は、
前記単ブランチ受信方式を選択する基準を示す受信状態判定閾値を有し、
前記ブランチ受信品質および前記受信状態判定閾値に基づいて、前記単ブランチ受信方式を選択するか否かを判定するダイバーシチ受信装置。
【請求項３】
請求項１または２に記載のダイバーシチ受信装置であって、
前記制御部は、
前記受信ブランチのうちのいずれか１つを選択する受信ブランチ選択部と、
前記受信ブランチ選択部によって選択された以外の前記受信ブランチの動作を制限する動作制御部と
を有するダイバーシチ受信装置。
【請求項４】
請求項１ないし３のいずれか１項に記載のダイバーシチ受信装置であって、
前記制御部は、
前記受信ブランチのブランチ受信品質のうち最良のものと前記合成受信品質との差を示すダイバーシチ効果値を算出するダイバーシチ効果判定部と、
前記ダイバーシチ受信方式を選択する基準を示すダイバーシチ効果判定閾値と
を有し、
前記ダイバーシチ効果値がダイバーシチ効果判定閾値よりも小さいと判断された場合、所定の期間が経過するまでは前記単ブランチ受信方式を選択するダイバーシチ受信装置。
【請求項５】
請求項４に記載のダイバーシチ受信装置であって、
前記ダイバーシチ受信装置の移動速度を検出する移動速度検出部を有し、
前記制御部は、
前記移動速度に基づいて、前記受信状態判定閾値、前記所定の期間のうちの少なくとも１つを設定するダイバーシチ受信装置。
【請求項６】
請求項５に記載のダイバーシチ受信装置であって、
前記制御部は、
前記移動速度および前記ダイバーシチ受信装置の状態を示す状態パラメータに基づいて、前記受信状態判定閾値、前記所定の期間のうちの少なくとも１つを設定するダイバーシチ受信装置。
【請求項７】
請求項６に記載のダイバーシチ受信装置であって、
前記制御部は、
前記状態パラメータに基づいて、前記ダイバーシチ効果判定閾値を設定するダイバーシチ受信装置。
【請求項８】
請求項６または７に記載のダイバーシチ受信装置であって、
前記状態パラメータは、
前記ダイバーシチ受信装置の電池残量、アプリケーション状態、手動設定内容、自動設定内容のうちの少なくとも１つを有するダイバーシチ受信装置。
【請求項９】
通信信号を受信する複数の受信ブランチによって前記通信信号が受信されるブランチ受信ステップと、
前記ブランチ受信ステップにおいて受信された通信信号の受信品質を示すブランチ受信品質が算出されるステップと、
前記ブランチ受信ステップにおいて受信された各通信信号が合成される合成ステップと、
前記合成ステップにおいて合成された合成信号の受信品質を示す合成受信品質が算出されるステップと、
前記ブランチ受信品質および前記合成受信品質に基づいて、前記受信ブランチのうちのいずれか１つにおいて前記通信信号が受信される単ブランチ受信方式、または、前記受信ブランチのうちのいずれか複数において前記通信信号が受信されるダイバーシチ受信方式のいずれかが選択されるステップと
を有するダイバーシチ受信方法。
【発明の詳細な説明】
【技術分野】
【０００１】
本発明はダイバーシチ受信装置、ダイバーシチ受信方法に関する。
【背景技術】
【０００２】
従来のダイバーシチ受信装置の構成を図１７に示す。図１７は従来のダイバーシチ受信装置のブロック図である。ダイバーシチ受信装置１７００は、第１および第２の２ブランチを備えている。第１のブランチは、第１のアンテナ１７０１からの受信ＲＦ（Ｒａｄｉｏ  Ｆｒｅｑｕｅｎｃｙ）信号をベースバンド信号に変換する第１の周波数変換部１７０２、第１の周波数変換部１７０２の出力信号に対して復調に必要な信号処理の前半部分を行う第１のベースバンド復調前処理部１７０３、第１のアンテナ１７０１、第１の周波数変換部１７０２、第１のベースバンド復調前処理部１７０３への供給電源を制御する第１の受信処理部電源制御部１７０４を備えている。
【０００３】
また、第２のブランチは、第２のアンテナ１７０５からの受信ＲＦ信号をベースバンド信号に変換する第２の周波数変換部１７０６、第２の周波数変換部１７０６の出力信号に対して復調に必要な信号処理の前半部分を行う第２のベースバンド復調前処理部１７０７、第２のアンテナ１７０５、第２の周波数変換部１７０６、第２のベースバンド復調前処理部１７０７の供給電源を制御する第２の受信処理部電源制御部１７０８を備えている。
【０００４】
重み付け合成処理部１７０９は、第１のベースバンド復調前処理部１７０３の出力信号と第２のベースバンド復調前処理部１７０７の出力信号に対して重み付け合成を行う。重み付け合成処理部１７０９の出力信号に対して復調に必要な信号処理の後半部分をベースバンド復調後処理部１７１０で行う。さらに、重み付け合成処理部１７０９の出力信号の品質を検出する受信信号品質検出処理部１７１１、ベースバンド復調後処理部１７１０の出力信号のうち画像や音声の圧縮信号である情報信号を復号する情報信号復号部１７１２、ベースバンド復調後処理部１７１０の出力信号のうち伝送システムパラメータである制御信号（ＴＭＣＣ情報：Ｔｒａｎｓｍｉｓｓｉｏｎ  ａｎｄ  Ｍｕｌｔｉｐｌｅｘｉｎｇ  Ｃｏｎｆｉｇｕｒａｔｉｏｎ  Ｃｏｎｔｒｏｌ）を復号する制御信号復号部１７１３を備えている。
【０００５】
情報信号復号部１７１２の出力信号に対して情報信号再生処理部１７１４で再生処理を行い、情報信号再生処理部１７１４で再生した映像信号等を表示部１７１５で表示する。情報信号再生処理部１７１４への供給電源制御を情報信号再生処理部電源制御部１７１６で行い、表示部１７１５への供給電源制御を表示部電源制御部１７１７で行い、情報信号復号部１２への供給電源制御を情報信号復号部電源制御部１７１８で行っている。
【０００６】
上記構成の受信装置における、受信方式の切り替え方法を図１８に示す。受信品質が悪化し、受信した制御情報の誤り率が所定の値以上になった、あるいは受信品質が改善し、受信信号の誤差が所定の値以下になった場合には、ダイバーシチ受信から単ブランチ受信へ切替え、使用しないブランチへの給電を停止する。
【０００７】
一方、受信品質が改善し、制御信号の誤り率が所定の値以下になった、あるいは受信品質が悪化し、受信信号の誤差が所定の値以上になった場合には使用していなかったブランチへの給電を再開し、単ブランチ受信からダイバーシチ受信へ切替えることで、消費電力を削減することができる（例えば、特許文献１参照）。
【特許文献１】特開２００４−３２０５２８（第１−３頁、第１図）
【発明の開示】
【発明が解決しようとする課題】
【０００８】
しかしながら、このような従来のダイバーシチ受信装置１７００においては、ダイバーシチ受信から単ブランチ受信への切替を行う際の判定条件には、ダイバーシチ受信時における合成後の信号の誤りのみを用いているため、効果がない場合でもダイバーシチ受信を続けてしまい、消費電力が増加するという事情があった。このようなダイバーシチ受信装置１７００では、例えば、伸縮型ホイップアンテナとイヤホン型アンテナでダイバーシチ受信器を構成する場合において、ホイップアンテナ収納時や、イヤホン型アンテナが巻かれている場合には、一方のアンテナの利得が低下し、ブランチ間の利得差が大きくなるため、ダイバーシチ利得が得られない。
【０００９】
本発明は、上記事情を鑑みてなされたものであって、消費電力の増加を防ぐことのできるダイバーシチ受信装置、ダイバーシチ受信方法を提供することを目的とする。
【課題を解決するための手段】
【００１０】
上記目的を達成するために、本発明の第１のダイバーシチ受信装置は、通信信号を受信する複数の受信ブランチと、前記受信ブランチによって受信された通信信号の受信品質を示すブランチ受信品質を算出するブランチ受信品質判定部と、前記受信ブランチによって受信された各通信信号を合成する合成部と、前記合成部によって合成された合成信号の受信品質を示す合成受信品質を算出する合成受信品質判定部と、前記ブランチ受信品質および前記合成受信品質に基づいて、前記受信ブランチのうちのいずれか１つにおいて前記通信信号を受信する単ブランチ受信方式、または、前記受信ブランチのうちのいずれか複数において前記通信信号を受信するダイバーシチ受信方式のいずれかを選択する制御部とを有する構成としている。
【００１１】
この構成により、ダイバーシチ受信時による合成信号のみではなく、単ブランチ受信による受信信号も考慮され、ダイバーシチ効果がない場合にはダイバーシチ受信を中止するため、消費電力を削減することができる。
【００１２】
また、本発明の第２のダイバーシチ受信装置は、前記制御部が、前記単ブランチ受信方式を選択する基準を示す受信状態判定閾値を有し、前記ブランチ受信品質および前記受信状態判定閾値に基づいて、前記単ブランチ受信方式を選択するか否かを判定する構成としている。
【００１３】
この構成により、ダイバーシチ受信による受信品質よりも単ブランチ受信による受信品質の方が良好である場合には、単ブランチ受信を行うことができる。
【００１４】
また、本発明の第３のダイバーシチ受信装置は、前記制御部が、前記受信ブランチのうちのいずれか１つを選択する受信ブランチ選択部と、前記受信ブランチ選択部によって選択された以外の前記受信ブランチの動作を制限する動作制御部とを有する構成としている。
【００１５】
この構成により、単ブランチ受信時において、受信を行っているブランチ以外の受信ブランチの電源を停止するなど、非受信ブランチの動作を制限することができる。
【００１６】
また、本発明の第４のダイバーシチ受信装置は、前記制御部が、前記受信ブランチのブランチ受信品質のうち最良のものと前記合成受信品質との差を示すダイバーシチ効果値を算出するダイバーシチ効果判定部と、前記ダイバーシチ受信方式を選択する基準を示すダイバーシチ効果判定閾値とを有し、前記ダイバーシチ効果値がダイバーシチ効果判定閾値よりも小さいと判断された場合、所定の期間が経過するまでは前記単ブランチ受信方式を選択する構成としている。
【００１７】
この構成により、ダイバーシチ受信時において、ある一定以上の効果がない場合には間欠的にダイバーシチ受信を行うことにより、受信性能の劣化を防ぐことができる。また、一旦ダイバーシチ受信による効果が小さいと判断されていずれかのブランチの電源がＯＦＦにされた場合には、一定期間ダイバーシチ受信を行うことを制限することで、消費電力の増加を防ぐことができる。
【００１８】
また、本発明の第５のダイバーシチ受信装置は、前記ダイバーシチ受信装置の移動速度を検出する移動速度検出部を有し、前記制御部が、前記移動速度に基づいて、前記受信状態判定閾値、前記所定の期間のうちの少なくとも１つを設定する構成としている。
【００１９】
この構成により、受信装置の移動速度を加味した切替判定値を用いることができるため、受信装置が移動状態であっても適切な切替を行うことができる。また、低速時には間欠受信周期を長く、高速時には短くすることによって余計なダイバーシチ効果判定を行わないので、消費電力の増加を防ぐことができる。
【００２０】
また、本発明の第６のダイバーシチ受信装置は、前記制御部が、前記移動速度および前記ダイバーシチ受信装置の状態を示す状態パラメータに基づいて、前記受信状態判定閾値、前記所定の期間のうちの少なくとも１つを設定する構成としている。
【００２１】
この構成により、ダイバーシチ受信装置の現在の環境や状態に適したダイバーシチ受信を行うことができるため、ユーザの利便性を向上させることができる。
【００２２】
また、本発明の第７のダイバーシチ受信装置は、前記制御部が、前記状態パラメータに基づいて、前記ダイバーシチ効果判定閾値を設定する構成としている。
【００２３】
この構成により、ダイバーシチ受信装置の現在の環境や状態に適したダイバーシチ受信を行うことができるため、ユーザの利便性を向上させることができる。
【００２４】
また、本発明の第８のダイバーシチ受信装置は、前記状態パラメータが、前記ダイバーシチ受信装置の電池残量、アプリケーション状態、手動設定内容、自動設定内容のうちの少なくとも１つを有する構成としている。
【００２５】
この構成により、ダイバーシチ受信装置の現在の環境や状態に適したダイバーシチ受信を行うことができるため、ユーザの利便性を向上させることができる。
【００２６】
また、本発明の第１のダイバーシチ受信方法は、通信信号を受信する複数の受信ブランチによって前記通信信号が受信されるブランチ受信ステップと、前記ブランチ受信ステップにおいて受信された通信信号の受信品質を示すブランチ受信品質が算出されるステップと、前記ブランチ受信ステップにおいて受信された各通信信号が合成される合成ステップと、前記合成ステップにおいて合成された合成信号の受信品質を示す合成受信品質が算出されるステップと、前記ブランチ受信品質および前記合成受信品質に基づいて、前記受信ブランチのうちのいずれか１つにおいて前記通信信号が受信される単ブランチ受信方式、または、前記受信ブランチのうちのいずれか複数において前記通信信号が受信されるダイバーシチ受信方式のいずれかが選択されるステップとを有する方法としている。
【００２７】
この方法により、ダイバーシチ受信時による合成信号のみではなく、単ブランチ受信による受信信号も考慮され、ダイバーシチ効果がない場合にはダイバーシチ受信を中止するため、消費電力を削減することができる。
【発明の効果】
【００２８】
本発明は、消費電力の増加を防ぐことのできるダイバーシチ受信装置、ダイバーシチ受信方法を提供することができるものである。
【発明を実施するための最良の形態】
【００２９】
以下、本発明の実施形態の受信装置について、図面を用いて説明する。
（第１の実施形態）
【００３０】
本発明の第１の実施形態における受信装置１００について、図１ないし図６を用いて説明する。まず基本構成について、図１を用いて説明する。図１は本発明の第１の実施形態における受信装置１００のブロック図である。
【００３１】
受信装置１００は、第１のアンテナ１０１、第２のアンテナ１０２、第１のチューナ１０３、第２のチューナ１０４、第１の復調部１０５、第２の復調部１０６、合成部１０７、誤り訂正部１０８、第１の受信品質判定部１０９、第２の受信品質判定部１１０、第３の受信品質判定部１１１、制御部１１２、スイッチ１１３および動作制御部１１４を有する。また、第１のアンテナ１０１、第１のチューナ１０３、第１の復調部１０５を有する受信系統を第１のブランチ、第２のアンテナ１０２、第２のチューナ１０４、第２の復調部１０６を有する受信系統を第２のブランチとする。尚、受信装置１００は、例えばデジタル変調信号をダイバーシチ受信する受信端末などである。
【００３２】
ここで、合成部１０７は合成部の一例である。また、第１および第２の受信品質判定部１０９、１１０はブランチ受信品質判定部の一例である。また、第３の受信品質判定部１１１は合成受信品質判定部の一例である。また、制御部１１２は制御部の一例である。また、スイッチ１１３は受信ブランチ選択部の一例である。また、動作制御部１１４は動作制御部の一例である。
【００３３】
第１および第２のアンテナ１０１、１０２は、デジタル変調信号を受信する。第１のチューナ１０３は、第１のアンテナ１０１に入力されたデジタル変調信号から所望のチャンネルの選局を行う。第２のチューナ１０４は、第２のアンテナ１０２に入力されたデジタル変調信号から所望のチャンネルの選局を行う。第１の復調部１０５は、第１のチューナ１０３によって選局された信号の復調を行う。第２の復調部１０６は、第２のチューナ１０４によって選局された信号の復調を行う。合成部１０７は、第１の復調部１０５によって復調された信号および第２の復調部１０６によって復調された信号を合成する。
【００３４】
誤り訂正部１０８は、合成部１０７によって合成された信号およびスイッチ１１３に接続された第１または第２のブランチの信号に対して誤り訂正処理を行う。第１の受信品質判定部１０９は、第１の復調部１０５によって復調された信号から受信品質を判定する。受信品質の判定には、例えば、搬送波対雑音比（Ｃａｒｒｉｅｒ  ｔｏ  Ｎｏｉｓｅ  Ｒａｔｉｏ、以下単にＣ／Ｎという。）の算出などを用いる。第２の受信品質判定部１１０は、第２の復調部１０６によって復調された信号から受信品質を判定する。第３の受信品質判定部１１１は、合成部１０７によって合成された信号から受信品質を判定する。
【００３５】
制御部１１２は、受信品質判定部１０９、１１０、１１１で得られた判定結果により、受信方式の制御を行う。スイッチ１１３は、制御部１１２により、各単ブランチ受信および合成ダイバーシチ受信を行うために切り替えられる。ここで、単ブランチ受信は第１または第２のブランチのいずれか一方のみの信号を受信し、受信品質の算出を行う受信方式であり、合成ダイバーシチ受信は第１および第２のブランチ両方において信号を受信し、それぞれの受信品質の算出を行う受信方式である。動作制御部１１４は、制御部１１２での判定により第１および第２のチューナ１０３、１０４、第１および第２の復調部１０５、１０６、および合成部１０７の電源を制御する。
【００３６】
次に制御部１１２の構成について、図２を用いて詳細に説明する。図２は本発明の第１の実施形態における制御部１１２の詳細ブロック図である。
制御部１１２は、判定パラメータ記憶手段２０１、ダイバーシチ効果判定手段２０２および受信方式切替手段２０３を有する。
ここで、ダイバーシチ効果判定手段２０２はダイバーシチ効果判定部の一例である。
【００３７】
判定パラメータ記憶手段２０１は、ＲＯＭ（Ｒｅａｄ  Ｏｎｌｙ  Ｍｅｍｏｒｙ）やＲＡＭ（Ｒａｎｄｏｍ  Ａｃｃｅｓｓ  Ｍｅｍｏｒｙ）などからなり、制御に必要な効果判定閾値や受信状態判定閾値などのパラメータを予め記憶する。ダイバーシチ効果判定手段２０２は、受信品質判定部１０９、１１０、１１１からのそれぞれの受信品質値、および、判定パラメータ記憶手段２０１に記録されている効果判定閾値より、ダイバーシチ効果があるか否かを判定し、判定結果を受信方式切替手段２０３へ送る。受信方式切替手段２０３は、受信品質判定部１０９、１１０、１１１からのそれぞれの受信品質値、ダイバーシチ効果判定手段２０２からの効果判定結果および判定パラメータ記憶手段２０１に記録されている受信状態判定閾値より、受信方式の切替判定を行い、切替が必要と判断した場合には動作制御部１１４への電源制御命令やスイッチ１１３の切替を行う。
【００３８】
以上のように構成された受信装置１００について、図３ないし図５を用いてその動作を説明する。
まず、単ブランチ受信時の動作を図３を用いて説明する。図３は本発明の第１の実施形態における受信装置１の単ブランチ受信時の動作フロー図である。
【００３９】
初めに、受信品質判定部１０９または１１０は、現在受信中のブランチの受信品質を判定する（ステップＳ３０１）。次に受信方式切替手段２０３は、得られた受信品質値と、判定パラメータ記憶手段２０１に記録されている受信状態判定閾値とを比較する（ステップＳ３０２）。現在の受信品質が高レベルの受信状態判定閾値よりも小さい、かつ低レベルの受信状態判定閾値よりも大きい場合は、ダイバーシチ受信が必要と判断し、ステップＳ３０３を行う。現在の受信品質が高レベルの受信状態判定閾値以上、もしくは低レベルの受信状態判定閾値以下の場合は、ダイバーシチ受信は不要と判断し、そのまま単ブランチ受信時の動作を繰り返す（ステップＳ３０６）。
【００４０】
ダイバーシチ受信が必要と判断されると、動作制御部１１４は、現在未使用のブランチのチューナ１０３または１０４、復調部１０５または１０６、および合成部１０７の電源をＯＮにする（ステップＳ３０３）。次に制御部１１２はスイッチ１１３を切替え、ダイバーシチ受信を行い、図４に示すダイバーシチ受信時の処理を行う（ステップＳ３０４、ステップＳ３０５）。
【００４１】
次にダイバーシチ受信時の動作を図４を用いて説明する。図４は本発明の第１の実施形態における受信装置１００のダイバーシチ受信時の動作フロー図である。
初めに、受信品質判定部１０９、１１０、１１１は、第１および第２のブランチ、および合成後の各受信品質を判定する（ステップＳ４０１）。次に、受信方式切替手段２０３は、判定された第１のブランチと第２のブランチとの受信品質を比較し、受信品質の良いブランチを判定する（ステップＳ４０２）。
【００４２】
次に、受信方式切替手段２０３は、受信品質が良いブランチの受信品質値と、判定パラメータ記憶手段２０１に記録されている受信状態判定閾値とを比較する（ステップＳ４０３）。受信品質が良いブランチの受信品質が高レベル受信状態判定閾値以上、もしくは低レベル受信状態判定閾値以下の場合は、ダイバーシチ受信は不要と判断し、受信品質が良いブランチの受信品質が高レベル受信状態判定閾値より小さい、かつ低レベル受信状態判定閾値より大きい場合は、ダイバーシチ受信が必要と判断する。
【００４３】
ダイバーシチ受信が不要と判断された場合には、制御部１３は受信品質が良いブランチへスイッチ１１３を切替え、単ブランチ受信とする（ステップＳ４０４）。次に動作制御部１１４は、未使用のブランチのチューナ１０３または１０４、復調部１０５または１０６、および合成部１０７の電源をＯＦＦとし（ステップＳ４０５）、図３に示す単ブランチ受信時の処理を行う（ステップＳ４０６）。
【００４４】
一方、ダイバーシチ受信が必要と判断された場合には、ダイバーシチ効果判定手段２０２は、受信品質の良いブランチの受信品質と、合成後の受信品質の差（以降、ダイバーシチ効果という）を計算する（ステップＳ４０７）。そしてダイバーシチ効果判定手段２０２は、得られたダイバーシチ効果と、判定パラメータ記憶手段２０１に記録されている効果判定閾値とを比較する（ステップＳ４０８）。ダイバーシチ効果が効果判定閾値より小さい場合は、ダイバーシチ受信の効果がないと判断し、ダイバーシチ効果が効果判定閾値以上の場合は、ダイバーシチ受信の効果があると判断する。
【００４５】
ダイバーシチ受信の効果がある場合は、そのままダイバーシチ受信時の処理を行う（ステップＳ４１２）。ダイバーシチ効果のない場合には、制御部１１２は受信品質が良いブランチへスイッチ１１３を切替え、単ブランチ受信とする（ステップＳ４０９）。次に、動作制御部１１４は、未使用のブランチのチューナ１０３または１０４、復調部１０５または１０６、および合成部１０７の電源をＯＦＦとし（ステップＳ４１０）、図５に示す間欠受信時の処理を行う（ステップＳ４１１）。
【００４６】
次に間欠受信時の動作を図５を用いて説明する。図５は本発明の第１の実施形態における受信装置１００の間欠受信時の動作フロー図である。
初めに、受信品質判定部１０９または１１０は、現在受信中のブランチの受信品質を判定する（ステップＳ５０１）。次に、受信方式切替手段２０３は、得られた受信品質と、判定パラメータ記憶手段２０１に記録されている受信状態判定閾値とを比較する（ステップＳ５０２）。現在の受信品質が高レベル受信状態判定閾値よりも小さい、かつ低レベル受信状態判定閾値よりも大きい場合は、引き続きステップＳ５０３を行う。現在の受信品質が高レベル受信状態判定閾値以上、もしくは低レベル受信状態判定閾値以下の場合は、ダイバーシチ受信は不要と判断し、図３に示す単ブランチ受信時の動作を行う（ステップＳ５０７）。
【００４７】
次に、受信方式切替手段２０３は判定パラメータ記憶手段２０１に記録されている間欠受信周期が経過したかを判定し(ステップＳ５０３)、経過していない場合はステップＳ２０１の処理に戻る。経過した場合には、動作制御部１１４は、現在未使用のブランチのチューナ１０３または１０４、復調部１０５または１０６、および合成部１０７の電源をＯＮにする（ステップＳ５０４）。次に制御部１１２はスイッチ１１３を切替え、図４に示すダイバーシチ受信時の処理を行う（ステップＳ５０５、ステップＳ５０６）。
【００４８】
上記のような間欠受信を行うことによって、一旦ダイバーシチ受信による効果が小さいと判断されていずれかのブランチの電源がＯＦＦにされた場合には、一定期間ダイバーシチ受信を行うことを制限することで消費電力の増加を防ぐことができる。
【００４９】
ここで、図６を用いて受信方式の切替えの具体例を説明する。図６は本発明の第１の実施形態における受信装置１００の受信方式切替の概要図である。
まず、受信状態判定閾値である２つの閾値をα、β（ただし、α＞β）とし、第１のアンテナ１０１を有する第１のブランチによる単ブランチ受信の受信品質値を丸印、第２のアンテナ１０２を有する第２のブランチによる単ブランチ受信の受信品質値を四角印、第１および第２のアンテナ１０１および１０２によるダイバーシチ受信の受信品質値を星印で図中に示す。
【００５０】
時間Ｔ１において、第１のブランチの第１の受信品質値（ここでは例としてＣ／Ｎとする）を取得する。取得した受信品質値と閾値αとβを比較すると、第１の受信品質値≧αであるので、単ブランチ受信のまま処理を行う。なお、閾値α、βは任意の値であり、受信品質によって変更できるものである。時間Ｔ２においては、取得した第１の受信品質値は閾値αに時間Ｔ１のときよりも近づいているが、第１の受信品質値≧αであるので、単ブランチ受信のまま処理を行う。
【００５１】
時間が経過し、時間Ｔ３になると、第１のブランチのＣ／Ｎ値が、閾値β＜第１の受信品質値＜閾値αとなるため、ダイバーシチ受信を行う。取得した第１および第２のブランチそれぞれの受信品質値を比較すると、第１のブランチの受信品質の方が良いため、第１の受信品質値と合成後の第３の受信品質値（ダイバーシチ効果）を算出する。この場合はダイバーシチ効果（図中の星印と丸印との距離）が大きいので、時間Ｔ３〜Ｔ４の間はダイバーシチ受信となる。
【００５２】
次に時間Ｔ４においては、第１の受信品質値≦閾値βとなるため、ダイバーシチ受信から単ブランチ受信へと切り替わる。時間Ｔ５では再び、閾値β＜第１の受信品質値＜閾値αとなるため、ダイバーシチ受信を行う。しかし、ダイバーシチ効果が効果判定閾値よりも小さいため、ダイバーシチ受信から単ブランチ受信へ切替える。
【００５３】
なお、本発明の第１の実施形態では、Ｃ／Ｎ値を閾値に使用した場合について説明したが、パケットエラーやビットエラーなどＣ／Ｎ以外の受信品質を表すパラメータを用いた場合にも、同様の効果が得られる。
また、図４のステップＳ４０４、Ｓ４０９にて受信品質が良いブランチへ切り替えると記載したが、アンテナの利得が高い方へ切り替えても良い。
また、受信品質や、ダイバーシチ効果判定を算出する際は瞬時値ではなく、ある一定時間の平均値を用いて算出しても良い。
【００５４】
このような本発明の第１の実施形態における受信装置１００によれば、通信信号を受信する複数の受信ブランチと、受信ブランチによって受信された通信信号の受信品質を示すブランチ受信品質を算出する受信品質判定部１０９、１１０と、受信ブランチによって受信された各通信信号を合成する合成部１０７と、合成部１０７によって合成された合成信号の受信品質を示す合成受信品質を算出する受信品質判定部１１１と、ブランチ受信品質および前記合成受信品質に基づいて、受信ブランチのうちのいずれか１つにおいて通信信号を受信する単ブランチ受信方式、または、受信ブランチのうちのいずれか複数において通信信号を受信するダイバーシチ受信方式のいずれかを選択する制御部１１２とを有する構成とすることで、ダイバーシチ受信時による合成信号のみではなく、単ブランチ受信による受信信号も考慮され、ダイバーシチ効果がない場合にはダイバーシチ受信を中止するため、消費電力を削減することができる。
（第２の実施形態）
【００５５】
次に、本発明の第２の実施形態における受信装置７００について、図７ないし図１１を用いて説明する。図７は本発明の第２の実施形態における受信装置７００のブロック図である。
【００５６】
受信装置７００は、本発明の第１の実施形態における受信装置１００に加え、移動速度検出部７０２を有し、制御部１１２に代わって制御部７０１を有する。移動速度検出部７０２は受信装置７００の移動速度を検出する。図７において、本発明の第１の実施形態で説明した受信装置１００と重複する部分には、同一符号を付し、説明を省略する。尚、受信装置７００は、例えばデジタル変調信号をダイバーシチ受信する受信端末などである。また、移動速度検出部７０２は移動速度検出部の一例である。
【００５７】
次に制御部７０１の構成について、本発明の第１の実施形態における制御部１１２と異なる点のみについて説明する。図８は、本発明の第２の実施形態における制御部７０１の詳細ブロック図である。制御部７０１は、本発明の第１の実施形態における制御部１１２に加え、間欠受信周期設定手段８０１、受信状態判定閾値設定手段８０２を有する。
【００５８】
間欠受信周期設定手段８０１は、移動速度検出部７０２で検出された受信装置７００の移動速度に基づいて間欠受信時の間欠受信周期を設定し、判定パラメータ記憶手段２０１に記録する。受信状態判定閾値設定手段８０２は、移動速度に基づいて受信方式切替手段２０２による受信方式切替の判定に用いる受信状態判定閾値を設定し、判定パラメータ記憶手段２０１に記録する。
【００５９】
以上のように構成された受信装置７００について、図９ないし図１１を用いてその動作を説明する。
【００６０】
まず、単ブランチ受信時の動作を図９を用いて説明する。図９は本発明の第２の実施形態における受信装置７００の単ブランチ受信時の動作フロー図である。
初めに、ＧＰＳ（Ｇｌｏｂａｌ  Ｐｏｓｉｔｉｏｎｉｎｇ  Ｓｙｓｔｅｍ）やジャイロセンサにより、移動速度検出部７０２は受信装置７００の移動速度を算出する（ステップＳ９０１）。次に、受信状態判定閾値設定手段８０２は、算出した移動速度に基づいて受信状態判定閾値を求め、判定パラメータ記憶手段２０１に設定する（ステップＳ９０２）。以降の処理は図３のステップＳ３０１〜Ｓ３０６と同一の処理であるため、説明を省略する。
【００６１】
次に、ダイバーシチ受信時の動作を図１０を用いて説明する。図１０は本発明の第２の実施形態における受信装置７００のダイバーシチ受信時の動作フロー図である。
初めに、ＧＰＳやジャイロセンサにより、移動速度検出部７０２は受信装置７００の移動速度を算出する（ステップＳ１００１）。次に、受信状態判定閾値設定手段８０２は、算出した移動速度に基づいて受信状態判定閾値を求め、判定パラメータ記憶手段２０１に設定する（ステップＳ１００２）。以降の処理は図４のステップＳ４０１〜Ｓ４１２と同一の処理であるため、説明を省略する。
【００６２】
次に、間欠受信時の動作を図１１を用いて説明する。図１１は本発明の第２の実施形態における受信装置７００の間欠受信時の動作フロー図である。
初めに、ＧＰＳやジャイロセンサにより、移動速度検出部７０２は受信装置７００の移動速度を算出する（ステップＳ１１０１）。次に、受信状態判定閾値設定手段８０２は、算出した移動速度に基づいて受信状態判定閾値を求め、判定パラメータ記憶手段２０１に設定する（ステップＳ１１０２）。次に、間欠受信周期設定手段８０１は、算出した移動速度に基づいて間欠受信周期を求め、判定パラメータ記憶手段２０１に設定する（ステップＳ１１０３）。以降の処理は図５のステップＳ５０１〜Ｓ５０７と同一の処理であるため、説明を省略する。
【００６３】
ここで、移動速度による間欠受信周期、受信状態判定閾値の設定について説明する。移動速度が速くなるとフェージングピッチが狭くなり、受信信号レベルの状態は激しく変化するため、間欠受信周期に関しては移動速度に反比例するような値を設定する。また、感度点でのＣ／Ｎ値である所要Ｃ／Ｎ値は高速時および低速時において大きく、中速時は比較的小さい。さらに静止時には最も小さくなるため、受信状態判定閾値に関しては、所要Ｃ／Ｎ値を考慮とした値を設定する。
【００６４】
なお、間欠受信周期についてはフェージングピッチを求め、その値を間欠受信周期に設定しても良い。また、予め速度とそれに応じた間欠受信周期の値をテーブルとしてメモリに持っておいても良い。
【００６５】
なお、図１０のステップＳ４０４、Ｓ４０９にて受信品質が良いブランチへ切り替えると記載したが、アンテナの利得が高い方へ切り替えても良い。
また、受信品質や、ダイバーシチ効果判定を算出する際は瞬時値ではなく、ある一定時間の平均値を用いて算出しても良い。
【００６６】
また、受信装置７００の速度検出は毎回行うのではなく、一定時間ごとに行っても良い。それに伴い、間欠受信周期の設定や、受信状態判定閾値も一定時間ごとに行っても良い。
また、速度の検出方法にセンサを用いる場合を示したが、これに限らずどのような方法を用いても良い。
【００６７】
このような本発明の第２の実施形態の受信装置７００によれば、受信装置７００の移動速度を検出する移動速度検出部７０２を有し、制御部７０１が、移動速度に基づいて、受信状態判定閾値、間欠受信周期のうちの少なくとも１つを設定する構成とすることで、受信装置７００の移動速度を加味した切替判定値を用いることができるため、受信装置７００が移動状態であっても適切な切替を行うことができ、また、低速時には間欠受信周期を長く、高速時には短くすることによって余計なダイバーシチ効果判定を行わないので、消費電力の増加を防ぐことができる。
（第３の実施形態）
【００６８】
次に、本発明の第３の実施形態における受信装置について、図１２ないし図１６を用いて説明する。図１２は本発明の第３の実施形態における受信装置１２００のブロック図である。
【００６９】
受信装置１２００は、本発明の第２の実施形態における受信装置１２００に加え、状態判定部５２を有し、制御部７０１に代わって制御部１２０１を有する。状態判定部５２は、受信装置１２００の電池残量、手動設定内容、自動設定内容、アプリケーションの状態など、受信装置１２００の状態を判定する。図１２において、本発明の第２の実施形態で説明した受信装置７００と重複する部分には、同一符号を付し、説明を省略する。尚、受信装置１２００は、例えばデジタル変調信号をダイバーシチ受信する受信端末などである。
【００７０】
次に制御部１２０１の構成について、本発明の第２の実施形態における制御部７０１と異なる点のみについて説明する。図１３は本発明の第３の実施形態における制御部１２０１の詳細ブロック図である。制御部１２０１は、本発明の第１の実施形態における制御部１１２に加え、受信状態判定閾値設定手段１３０１、間欠受信周期設定手段１３０２、効果判定閾値設定手段１３０３を有する。
【００７１】
受信状態判定閾値設定手段１３０１は、状態判定部１２０２によって得られた受信装置１２００の状態、および、移動速度検出部７０２から得られた受信装置１２００の移動速度より、受信方式切替手段２０２で受信方式切替の判定に用いる受信状態判定閾値を設定し、判定パラメータ記憶手段２０１に記録する。間欠受信周期設定手段１３０２は、状態判定部１２０２によって得られた受信装置１２００の状態、および、移動速度検出部７０２から得られた受信装置１２００の移動速度より、間欠受信周期を設定し、判定パラメータ記憶手段２０１に記録する。効果判定閾値設定手段１３０３は、状態判定部１２０２によって得られた受信装置１２００の状態より、ダイバーシチ効果判定手段２０３でダイバーシチ受信の効果判定に用いる効果判定閾値を設定し、判定パラメータ記憶手段２０１に記録する。
【００７２】
以上のように構成された受信装置１２００について、図１４ないし図１６を用いてその動作を説明する。
【００７３】
まず、単ブランチ受信時の動作を図１４を用いて説明する。図１４は本発明の第３の実施形態における受信装置１２００の単ブランチ受信時の動作フロー図である。
初めに、ＧＰＳやジャイロセンサにより、移動速度検出部７０２は受信装置１２００の移動速度を算出する（ステップＳ１４０１）。次に、状態判定部１２０２は、受信装置１２００の電池残量、手動設定状態、自動設定状態、アプリケーションの状態などの受信装置１２００の状態を判定する（ステップＳ１４０２）。次に、受信状態判定閾値設定手段１３０１は、算出した移動速度および受信装置１２００の状態に基づいて受信状態判定閾値を求め、判定パラメータ記憶手段２０１に設定する（ステップＳ１４０３）。以降の処理は図３のステップＳ３０１〜Ｓ３０６と同一の処理であるため、説明を省略する。
【００７４】
次に、ダイバーシチ受信時の動作を図１５を用いて説明する。図１５は本発明の第３の実施形態における受信装置１２００のダイバーシチ受信時の動作フロー図である。
初めに、ＧＰＳやジャイロセンサにより、移動速度検出部７０２は受信装置１２００の移動速度を算出する（ステップＳ１５０１）。次に、状態判定部１２０２は、受信装置１２００の電池残量、手動設定状態、自動設定状態、アプリケーションの状態などの受信装置１２００の状態を判定する（ステップＳ１５０２）。
【００７５】
次に、受信状態判定閾値設定手段１３０１は、算出した移動速度および受信装置１２００の状態に基づいて受信状態判定閾値を求め、判定パラメータ記憶手段２０１に設定する（ステップＳ１５０３）。次に、効果判定閾値設定手段１３０３は、得られた受信装置１２００の状態に基づいて効果判定閾値を求め、判定パラメータ記憶手段２０１に設定する（ステップＳ１５０４）。以降の処理は図４のステップＳ４０１〜Ｓ４１２と同一の処理であるため、説明を省略する。
【００７６】
次に、間欠受信時の動作を図１６を用いて説明する。図１６は本発明の第３の実施形態における受信装置１２００の間欠受信時の動作フロー図である。
初めに、ＧＰＳやジャイロセンサにより、移動速度検出部７０２は受信装置１２００の移動速度を算出する（ステップＳ１６０１）。次に、状態判定部１２０２は、受信装置１２００の電池残量、手動設定状態、自動設定状態、アプリケーションの状態などの受信装置１２００の状態を判定する（ステップＳ１６０２）。次に、受信状態判定閾値設定手段１３０１は、算出した移動速度および受信装置１２００の状態に基づいて受信状態判定閾値を求め、判定パラメータ記憶手段２０１に設定する（ステップＳ１６０３）。以降の処理は図１１のステップＳ１１０３およびステップＳ５０１〜Ｓ５０７と同一の処理であるため、説明を省略する。
【００７７】
ここで、受信装置１２００の状態による受信状態判定閾値と効果判定閾値の設定について説明する。ここでは例として、受信装置１２００の状態を電池残量とする。受信装置１２００の電池残量が十分多い状態である場合には、消費電力は大きくなるが性能が向上するダイバーシチ受信を多く行うため、図６における閾値αと閾値βとの間を広くする方向に閾値を設定する。また、ダイバーシチ効果判定処理においても、効果判定閾値を小さくすることによってダイバーシチ受信を多く行うことができる。一方、電池残量が少ない場合には、ダイバーシチ受信を最小限に抑えるために、図６における閾値αとβの間を狭くし、効果判定閾値を大きく設定する。
【００７８】
なお、ダイバーシチ受信と単ブランチ受信の切替は、ユーザによる手動切替でも良く、その設定内容を受信装置１２００の状態としてパラメータを変更しても良い。
また、受信装置１２００で自動設定される、ｃｈ（ｃｈａｎｎｅｌ）、時間、番組、通話時間、パケット通信時間などにより、動きの激しい番組や通話の頻度を判定し、パラメータを変更しても良い。
【００７９】
また、電力を多く消費するアプリケーションを動作させている場合など、アプリケーションの状態によってパラメータを変更しても良い。
また、受信品質や、ダイバーシチ効果判定を算出する際は瞬時値ではなく、ある一定時間の平均値を用いて算出しても良い。
【００８０】
さらに、受信装置１２００の速度検出は毎回行うのではなく、一定時間ごとに行っても良い。それに伴い、間欠受信周期の設定や、受信状態判定閾値も一定時間ごとに行っても良い。
さらに、受信状態判定閾値と効果判定閾値の両方を変更した場合について述べたが、どちらか片方でも良い。また、受信状態判定閾値においても、高レベル、低レベルのどちらか片方を変更しても良い。
【００８１】
また、図１５のステップＳ４０４、Ｓ４０９にて受信品質が良いブランチへ切り替えると記載したが、アンテナの利得が高い方へ切り替えても良い。
さらに、速度の検出方法にセンサを用いる場合を示したが、これに限らずどのような方法を用いても良い。
【００８２】
このような本発明の第３の実施形態の受信装置１２００によれば、制御部１２０１が、移動速度および受信装置１２００の状態を示す状態パラメータに基づいて、受信状態判定閾値、間欠受信周期のうちの少なくとも１つを設定する、また、前記制御部１２０１が、状態パラメータに基づいて、効果判定閾値を設定する構成とすることで、受信装置１２００の現在の環境や状態に適したダイバーシチ受信を行うことができるため、ユーザの利便性を向上させることができる。
【産業上の利用可能性】
【００８３】
本発明は、消費電力の増加を防ぐことのできるダイバーシチ受信装置等に有用である。
【図面の簡単な説明】
【００８４】
【図１】本発明の第１の実施形態における受信装置のブロック図
【図２】本発明の第１の実施形態における制御部の詳細ブロック図
【図３】本発明の第１の実施形態における受信装置の単ブランチ受信時の動作フロー図
【図４】本発明の第１の実施形態における受信装置のダイバーシチ受信時の動作フロー図
【図５】本発明の第１の実施形態における受信装置の間欠受信時の動作フロー図
【図６】本発明の第１の実施形態における受信装置の受信方式切替の概要図
【図７】本発明の第２の実施形態における受信装置のブロック図
【図８】本発明の第２の実施形態における制御部の詳細ブロック図
【図９】本発明の第２の実施形態における受信装置の単ブランチ受信時の動作フロー図
【図１０】本発明の第２の実施形態における受信装置のダイバーシチ受信時の動作フロー図
【図１１】本発明の第２の実施形態における受信装置の間欠受信時の動作フロー図
【図１２】本発明の第３の実施形態における受信装置のブロック図
【図１３】本発明の第３の実施形態における制御部の詳細ブロック図
【図１４】本発明の第３の実施形態における受信装置の単ブランチ受信時の動作フロー図
【図１５】本発明の第３の実施形態における受信装置のダイバーシチ受信時の動作フロー図
【図１６】本発明の第３の実施形態における受信装置の間欠受信時の動作フロー図
【図１７】従来のダイバーシチ受信装置のブロック図
【図１８】従来のダイバーシチ受信装置の方式切替方法を示した図
【符号の説明】
【００８５】
１００  受信装置
１０１  第１のアンテナ
１０２  第２のアンテナ
１０３  第１のチューナ
１０４  第２のチューナ
１０５  第１の復調部
１０６  第２の復調部
１０７  合成部
１０８  誤り訂正部
１０９  第１の受信品質判定部
１１０  第２の受信品質判定部
１１１  第３の受信品質判定部
１１２  制御部
１１３  スイッチ
１１４  動作制御部
２０１  判定パラメータ記憶手段
２０２  ダイバーシチ効果判定手段
２０３  受信方式切替手段
７００  受信装置
７０１  制御部
７０２  移動速度検出部
８０１  間欠受信周期設定手段
８０２  受信状態判定閾値設定手段
１２００  受信装置
１２０１  制御部
１２０２  状態判定部
１３０１  受信状態判定閾値設定手段
１３０２  間欠受信周期設定手段
１３０３  効果判定閾値設定手段
１７００  ダイバーシチ受信装置
１７０１  第１のアンテナ
１７０２  第１の周波数変換部
１７０３  第１のベースバンド復調前処理部
１７０４  第１の受信処理部電源制御部
１７０５  第２のアンテナ
１７０６  第２の周波数変換部
１７０７  第２のベースバンド復調前処理部
１７０８  第２の受信処理部電源制御部
１７０９  重み付け合成処理部
１７１０  ベースバンド復調後処理部
１７１１  受信信号品質検出処理部
１７１２  情報信号復号部
１７１３  制御信号復号部
１７１４  情報信号再生処理部
１７１５  表示部
１７１６  情報信号再生処理部電源制御部
１７１７  表示部電源制御部
１７１８  情報信号復号部電源制御部
【図１】
2007116454.tif 000003
【図２】
2007116454.tif 000004
【図３】
2007116454.tif 000005
【図４】
2007116454.tif 000006
【図５】
2007116454.tif 000007
【図６】
2007116454.tif 000008
【図７】
2007116454.tif 000009
【図８】
2007116454.tif 000010
【図９】
2007116454.tif 000011
【図１０】
2007116454.tif 000012
【図１１】
2007116454.tif 000013
【図１２】
2007116454.tif 000014
【図１３】
2007116454.tif 000015
【図１４】
2007116454.tif 000016
【図１５】
2007116454.tif 000017
【図１６】
2007116454.tif 000018
【図１７】
2007116454.tif 000019
【図１８】
2007116454.tif 000020